(57)【特許請求の範囲】
【請求項１】
浮き板とサンプリング箱を含み、前記浮き板には回収穴が設置され、前記浮き板の頂面には台座が固定的に取り付けられ、前記台座には前記サンプリング箱を引いて水中で移動させることができる回し部品が設置され、前記回し部品は前記台座の中に設置された第一巻き空間と第二巻き空間を含み、前記台座の中には巻きモーターが固定的に取り付けられ、前記巻きモーターの左側の出力軸には第一巻き軸が固定的に連結され、前記第一巻き軸には第一巻き筒が固定的に取り付けられ、前記第一巻き筒には引き紐が周設され、前記引き紐と前記サンプリング箱とが固定的に連結され、前記引き紐が前記サンプリング箱を引いて上へ前記回収穴の中まで戻させることができ、前記サンプリング箱の中には直接に水域の深層部の汚泥をサンプリングできるサンプリング部品が設置され、
前記サンプリング部品は前記サンプリング箱内に設置された採集空間を含み、前記採集空間の中には汚泥を前記採集空間の中に巻き込むことができる採集筒が回転できるように取り付けられ、前記採集空間の上側には水搾り空間が設置され、前記水搾り空間と前記採集空間との間には連通穴が連通するように設置され、前記採集空間の中には第一搾り板がスライドできるように取り付けられ、前記第一搾り板が右へ移動して採集空間内の汚泥を前記水搾り空間の中に押すことができ、前記水搾り空間の中には水濾過筒と第二搾り板が設置され、前記第二搾り板が右へスライドし前記水搾り空間内の汚泥を前記水濾過筒の中に押して収集でき、
前記回し部品は前記巻きモーターの右側の出力軸に固定的に取り付けられた第二巻き軸を含み、前記第一巻き空間の右側には第二巻き空間が設置され、前記第二巻き軸が右へ前記第二巻き空間を貫通し、前記第二巻き軸には第二巻き筒が固定的に取り付けられ、前記第二巻き筒にはケーブルが固定的に周設されていることを特徴とする環境検査用の水域の深層部の汚泥サンプラ。
【請求項２】
前記第二巻き筒の右側面にはデータ転送接触点が固定的に取り付けられ、前記第二巻き空間の右側内壁にはデータ転送接触リングが固定的に取り付けられ、前記データ転送接触リングと前記データ転送接触点とが互いにスライドし、前記台座の中にはコントローラーが固定的に取り付けられ、前記コントローラーと前記データ転送接触リングとが電気信号により接続されていることを特徴とする請求項１に記載の環境検査用の水域の深層部の汚泥サンプラ。
【請求項３】
前記浮き板の頂面と前記台座の底面との間には支持ロッドが左右対称に固定的に取り付けられ、左右両側の前記支持ロッドの間には支持壁が固定的に取り付けられ、前記支持壁の中にはＹ型分流パイプが設置され、前記引き紐と前記ケーブルとが前記Ｙ型分流パイプを貫通し、前記ケーブルには引っかかりカバーが固定的に取り付けられていることを特徴とする請求項１に記載の環境検査用の水域の深層部の汚泥サンプラ。
【請求項４】
前記浮き板には回転輪が回転できるように取り付けられ、前記回転輪には羽根が設置されていることを特徴とする請求項１に記載の環境検査用の水域の深層部の汚泥サンプラ。
【請求項５】
前記サンプリング部品は前記採集空間の底壁と前記サンプリング箱の底面との間に設置された採集口を含み、前記採集空間の後側内壁の中にはサンプリングモーターが固定的に取り付けられ、前記サンプリングモーターと前記ケーブルとが電気信号により接続され、前記サンプリングモーターの出力軸には採集筒軸が固定的に取り付けられ、前記採集筒軸と前記採集筒とが固定的に連結されていることを特徴とする請求項１に記載の環境検査用の水域の深層部の汚泥サンプラ。
【請求項６】
前記採集空間の前後内壁の間には密封板がスライドできるように取り付けられ、前記サンプリング箱の中には密封モーターが固定的に取り付けられ、前記密封モーターと前記ケーブルとが電気信号により接続され、前記密封モーターの出力軸には第一ねじ山ロッドが固定的に取り付けられ、前記第一ねじ山ロッドと前記密封板とがねじ山により連結され、前記採集空間の右側内壁の中には第一押しモーターが固定的に取り付けられ、前記第一押しモーターと前記ケーブルとが電気信号により接続され、前記第一押しモーターの出力軸には第二ねじ山ロッドが固定的に連結され、前記第二ねじ山ロッドと前記第一搾り板とがねじ山により連結され、
汚泥が採集空間の中に巻き込まれた後、密封モーターを始動し、密封モーターが第一ねじ山ロッドを回転させ、第一ねじ山ロッドが密封板を前へ押し、密封板が採集空間を密封することを特徴とする請求項１に記載の環境検査用の水域の深層部の汚泥サンプラ。
【請求項７】
前記水搾り空間の右側内壁の中には第二押しモーターが固定的に取り付けられ、前記第二押しモーターと前記ケーブルとが電気信号により接続され、前記第二押しモーターの出力軸には第三ねじ山ロッドが固定的に取り付けられ、前記第三ねじ山ロッドと前記第二搾り板とがねじ山により取り付けられ、前記連通穴の中には前記連通穴と連通しているスプール空間が設置され、前記スプール空間の中にはスプールがスライドできるように取り付けられ、前記スプール空間の左側には電磁石空間が設置され、前記電磁石空間の左側内壁の中には電磁石が固定的に取り付けられ、前記電磁石と前記ケーブルとが電気信号により接続され、前記スプール空間と前記電磁石空間との間にはスライドロッドがスライドできるように取り付けられ、前記スライドロッドと前記スプールとが固定的に連結され、前記スライドロッドには永久磁石が固定的に取り付けられ、前記水濾過筒が水を濾過できることを特徴とする請求項１に記載の環境検査用の水域の深層部の汚泥サンプラ。
【請求項８】
前記サンプリング箱にはカメラ空間が設置され、前記カメラ空間の中にはカメラが設置され、前記カメラと前記ケーブルとが電気信号により接続され、前記サンプリング箱の頂面には引っかかり爪がヒンジにより連結され、前記引っかかり爪と前記サンプリング箱との間にいはねじりばねが固定的に連結されていることを特徴とする請求項１に記載の環境検査用の水域の深層部の汚泥サンプラ。
【発明の詳細な説明】
【技術分野】
【０００１】
本発明は検査検証分野を取り上げて、具体的には環境検査用の水域の深層部の汚泥サンプラである。
【背景技術】
【０００２】
水資源は人間にとって欠かせない資源であり、水資源を保護することは環境と人間の体の健康の保護である。水環境の検査は一般的に水の質を検査することであり、しかし多くの重金属汚染と一部分の伝染病の病原体は水底の汚泥に存在するため、水域の深層部の汚泥を検査する必要もある。
現在の水域の深層部の汚泥を検査するサンプラは、一般的に直接に水底から汚泥と水との混合物を取り出し、汚泥の質をテストするとき、水と汚泥とを分離する必要があり、水域の深層部のサンプラを回収するとき、手動でケーブルを引く必要があり、水中で作業する場合、ケーブルが切れる危険がある。
【先行技術文献】
【特許文献】
【０００３】
【特許文献１】中国特許出願公開第１０７６２１３８６号明細書
【発明の概要】
【発明が解決しようとする課題】
【０００４】
本発明の目的は環境検査用の水域の深層部の汚泥サンプラを提供し、それは上記の現在の技術中の問題を解決できる。
【課題を解決するための手段】
【０００５】
浮き板とサンプリング箱を含み、前記浮き板には回収穴が設置され、前記浮き板の頂面には台座が固定的に取り付けられ、前記台座には前記サンプリング箱を引いて水中で移動させることができる回し部品が設置され、前記回し部品は前記台座の中に設置された第一巻き空間と第二巻き空間を含み、前記台座の中には巻きモーターが固定的に取り付けられ、前記巻きモーターの左側の出力軸には第一巻き軸が固定的に連結され、前記第一巻き軸には第一巻き筒が固定的に取り付けられ、前記第一巻き筒には引き紐が周設され、前記引き紐と前記サンプリング箱とが固定的に連結され、前記引き紐が前記サンプリング箱を引いて上へ前記回収穴の中まで戻させることができ、前記サンプリング箱の中には直接に水域の深層部の汚泥をサンプリングできるサンプリング部品が設置され、
前記サンプリング部品は前記サンプリング箱内に設置された採集空間を含み、前記採集空間の中には汚泥を前記採集空間の中に巻き込むことができる採集筒が回転できるように取り付けられ、前記採集空間の上側には水搾り空間が設置され、前記水搾り空間と前記採集空間との間には連通穴が連通するように設置され、前記採集空間の中には第一搾り板がスライドできるように取り付けられ、前記第一搾り板が右へ移動して採集空間内の汚泥を前記水搾り空間の中に押すことができ、前記水搾り空間の中には水濾過筒と第二搾り板が設置され、前記第二搾り板が右へスライドし前記水搾り空間内の汚泥を前記水濾過筒の中に押して収集できる。
【０００６】
前記回し部品は前記巻きモーターの右側の出力軸に固定的に取り付けられた第二巻き軸を含み、前記第一巻き空間の右側には第二巻き空間が設置され、前記第二巻き軸が右へ前記第二巻き空間を貫通し、前記第二巻き軸には第二巻き筒が固定的に取り付けられ、前記第二巻き筒にはケーブルが固定的に周設されている。
【０００７】
前記第二巻き筒の右側面にはデータ転送接触点が固定的に取り付けられ、前記第二巻き空間の右側内壁にはデータ転送接触リングが固定的に取り付けられ、前記データ転送接触リングと前記データ転送接触点とが互いにスライドし、前記台座の中にはコントローラーが固定的に取り付けられ、前記コントローラーと前記データ転送接触リングとが電気信号により接続されている。
【０００８】
前記浮き板の頂面と前記台座の底面との間には支持ロッドが左右対称に固定的に取り付けられ、左右両側の前記支持ロッドの間には支持壁が固定的に取り付けられ、前記支持壁の中にはＹ型分流パイプが設置され、前記引き紐と前記ケーブルとが前記Ｙ型分流パイプを貫通し、前記ケーブルには引っかかりカバーが固定的に取り付けられ、前記引っかかりカバーが前記引き紐を固定できる。
【０００９】
前記浮き板には回転輪が回転できるように取り付けられ、前記回転輪には羽根が設置されている。
【００１０】
前記サンプリング部品は前記採集空間の底壁と前記サンプリング箱の底面との間に設置された採集口を含み、前記採集空間の後側内壁の中にはサンプリングモーターが固定的に取り付けられ、前記サンプリングモーターと前記ケーブルとが電気信号により接続され、前記サンプリングモーターの出力軸には採集筒軸が固定的に取り付けられ、前記採集筒軸と前記採集筒とが固定的に連結されている。
【００１１】
前記採集空間の前後内壁の間には密封板がスライドできるように取り付けられ、前記サンプリング箱の中には密封モーターが固定的に取り付けられ、前記密封モーターと前記ケーブルとが電気信号により接続され、前記密封モーターの出力軸には第一ねじ山ロッドが固定的に取り付けられ、前記第一ねじ山ロッドと前記密封板とがねじ山により連結され、前記採集空間の右側内壁の中には第一押しモーターが固定的に取り付けられ、前記第一押しモーターと前記ケーブルとが電気信号により接続され、前記第一押しモーターの出力軸には第二ねじ山ロッドが固定的に連結され、前記第二ねじ山ロッドと前記第一搾り板とがねじ山により連結されている。
【００１２】
前記水搾り空間の右側内壁の中には第二押しモーターが固定的に取り付けられ、前記第二押しモーターと前記ケーブルとが電気信号により接続され、前記第二押しモーターの出力軸には第三ねじ山ロッドが固定的に取り付けられ、前記第三ねじ山ロッドと前記第二搾り板とがねじ山により取り付けられ、前記連通穴の中には前記連通穴と連通しているスプール空間が設置され、前記スプール空間の中にはスプールがスライドできるように取り付けられ、前記スプール空間の左側には電磁石空間が設置され、前記電磁石空間の左側内壁の中には電磁石が固定的に取り付けられ、前記電磁石と前記ケーブルとが電気信号により接続され、前記スプール空間と前記電磁石空間との間にはスライドロッドがスライドできるように取り付けられ、前記スライドロッドと前記スプールとが固定的に連結され、前記スライドロッドには永久磁石が固定的に取り付けられ、前記水濾過筒が水を濾過できる。
【００１３】
前記サンプリング箱にはカメラ空間が設置され、前記カメラ空間の中にはカメラが設置され、前記カメラと前記ケーブルとが電気信号により接続され、前記サンプリング箱の頂面には引っかかり爪がヒンジにより連結され、前記引っかかり爪と前記サンプリング箱との間にいはねじりばねが固定的に連結されている。
【発明の効果】
【００１４】
本願発明の有益な効果は：本願発明は水域の深層部で汚泥をサンプリングするとき、直接に水を取り除き、それによりサンプリングした後に直接に汚泥を検査でき、水域の深層部の内部で採集する装置は直接に引き紐によって連結され、便利に回収又は放すことができ、信号と電力を送信するためのケーブルが引き紐に引っかかることができ、それにより水中の採集装置を回収又は放すとき、ケーブルが切れなく、普及する価値がある。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本願発明の全体構造概略図
【図２】図２は図１のＡの拡大構造概略図
【図３】図３は図１のＢの拡大構造概略図
【図４】図４は図１のＣの拡大構造概略図
【図５】図５は図２のＤ―Ｄ方向の断面構造概略図
【図６】図６は図３のＥ―Ｅ方向の断面構造概略図
【発明を実施するための形態】
【００１７】
図１〜６を参照し、本願発明の実施例の環境検査用の水域の深層部の汚泥サンプラは、浮き板２６とサンプリング箱２７を含み、前記浮き板２６には回収穴６０が設置され、前記浮き板２６の頂面には台座１０が固定的に取り付けられ、前記台座１０には前記サンプリング箱２７を引いて水中で移動させることができる回し部品８０が設置され、前記回し部品８０は前記台座１０の中に設置された第一巻き空間１２と第二巻き空間１６を含み、前記台座１０の中には巻きモーター１５が固定的に取り付けられ、前記巻きモーター１５の左側の出力軸には第一巻き軸１１が固定的に連結され、前記第一巻き軸１１には第一巻き筒１３が固定的に取り付けられ、前記第一巻き筒１３には引き紐１４が周設され、前記引き紐１４と前記サンプリング箱２７とが固定的に連結され、前記引き紐１４が前記サンプリング箱２７を引いて上へ前記回収穴６０の中まで戻させることができ、前記サンプリング箱２７の中には直接に水域の深層部の汚泥をサンプリングできるサンプリング部品８１が設置されている。
【００１８】
前記サンプリング部品８１は前記サンプリング箱２７内に設置された採集空間２９を含み、前記採集空間２９の中には汚泥を前記採集空間２９の中に巻き込むことができる採集筒５０が回転できるように取り付けられ、前記採集空間２９の上側には水搾り空間３５が設置され、前記水搾り空間３５と前記採集空間２９との間には連通穴４７が連通するように設置され、前記採集空間２９の中には第一搾り板４６がスライドできるように取り付けられ、前記第一搾り板４６が右へ移動して採集空間２９内の汚泥を前記水搾り空間３５の中に押すことができ、前記水搾り空間３５の中には水濾過筒３２と第二搾り板３８が設置され、前記第二搾り板３８が右へスライドし前記水搾り空間３５内の汚泥を前記水濾過筒３２の中に押して収集できる。
【００１９】
また、一つの実施例において、前記回し部品８０は前記巻きモーター１５の右側の出力軸に固定的に取り付けられた第二巻き軸１９を含み、前記第一巻き空間１２の右側には第二巻き空間１６が設置され、前記第二巻き軸１９が右へ前記第二巻き空間１６を貫通し、前記第二巻き軸１９には第二巻き筒１７が固定的に取り付けられ、前記第二巻き筒１７にはケーブル１８が固定的に周設され、
巻きモーター１５を始動すると、巻きモーター１５が第二巻き筒１７にケーブル１８を巻かせる又は放させることができる。
【００２０】
また、一つの実施例において、前記第二巻き筒１７の右側面にはデータ転送接触点２１が固定的に取り付けられ、前記第二巻き空間１６の右側内壁にはデータ転送接触リング２２が固定的に取り付けられ、前記データ転送接触リング２２と前記データ転送接触点２１とが互いにスライドし、前記台座１０の中にはコントローラー２０が固定的に取り付けられ、前記コントローラー２０と前記データ転送接触リング２２とが電気信号により接続され、
コントローラー２０の制御信号がデータ転送接触点２１とデータ転送接触リング２２を通じてケーブル１８に転送できる。
【００２１】
また、一つの実施例において、前記浮き板２６の頂面と前記台座１０の底面との間には支持ロッド２３が左右対称に固定的に取り付けられ、左右両側の前記支持ロッド２３の間には支持壁２４が固定的に取り付けられ、前記支持壁２４の中にはＹ型分流パイプ２５が設置され、前記引き紐１４と前記ケーブル１８とが前記Ｙ型分流パイプ２５を貫通し、前記ケーブル１８には引っかかりカバー６１が固定的に取り付けられ、前記引っかかりカバー６１が前記引き紐１４を固定でき、
第一巻き筒１３と第二巻き筒１７とが引き紐１４とケーブル１８とを放した後、Ｙ型分流パイプ２５を経由した後に引っかかりカバー６１に引き紐１４を固定させることができる。
【００２２】
また、一つの実施例において、前記浮き板２６には回転輪６２が回転できるように取り付けられ、前記回転輪６２には羽根６３が設置され、
羽根６３が浮き板２６と台座１０とを水面で移動させることができる。
【００２３】
また、一つの実施例において、前記サンプリング部品８１は前記採集空間２９の底壁と前記サンプリング箱２７の底面との間に設置された採集口２８を含み、前記採集空間２９の後側内壁の中にはサンプリングモーター５２が固定的に取り付けられ、前記サンプリングモーター５２と前記ケーブル１８とが電気信号により接続され、前記サンプリングモーター５２の出力軸には採集筒軸５１が固定的に取り付けられ、前記採集筒軸５１と前記採集筒５０とが固定的に連結され、
サンプリングモーター５２を始動し、サンプリングモーター５２が採集筒５０を回転させて水底の汚泥を採集空間２９の中に巻き込むことができる。
【００２４】
また、一つの実施例において、前記採集空間２９の前後内壁の間には密封板４５がスライドできるように取り付けられ、前記サンプリング箱２７の中には密封モーター５３が固定的に取り付けられ、前記密封モーター５３と前記ケーブル１８とが電気信号により接続され、前記密封モーター５３の出力軸には第一ねじ山ロッド５４が固定的に取り付けられ、前記第一ねじ山ロッド５４と前記密封板４５とがねじ山により連結され、前記採集空間２９の右側内壁の中には第一押しモーター４８が固定的に取り付けられ、前記第一押しモーター４８と前記ケーブル１８とが電気信号により接続され、前記第一押しモーター４８の出力軸には第二ねじ山ロッド４９が固定的に連結され、前記第二ねじ山ロッド４９と前記第一搾り板４６とがねじ山により連結され、
汚泥が採集空間２９の中に巻き込まれた後、密封モーター５３を始動し、密封モーター５３が第一ねじ山ロッド５４を回転させ、第一ねじ山ロッド５４が密封板４５を前へ押し、密封板４５が採集空間２９を密封し、第一押しモーター４８を始動し、第一押しモーター４８が第二ねじ山ロッド４９を回転させ、第二ねじ山ロッド４９が回転し第一搾り板４６を右に移動させることによって採集空間２９内の汚泥が連通穴４７を通じて水搾り空間３５の中に押される。
【００２５】
また、一つの実施例において、前記水搾り空間３５の右側内壁の中には第二押しモーター３６が固定的に取り付けられ、前記第二押しモーター３６と前記ケーブル１８とが電気信号により接続され、前記第二押しモーター３６の出力軸には第三ねじ山ロッド３７が固定的に取り付けられ、前記第三ねじ山ロッド３７と前記第二搾り板３８とがねじ山により取り付けられ、前記連通穴４７の中には前記連通穴４７と連通しているスプール空間３９が設置され、前記スプール空間３９の中にはスプール４０がスライドできるように取り付けられ、前記スプール空間３９の左側には電磁石空間４２が設置され、前記電磁石空間４２の左側内壁の中には電磁石４１が固定的に取り付けられ、前記電磁石４１と前記ケーブル１８とが電気信号により接続され、前記スプール空間３９と前記電磁石空間４２との間にはスライドロッド４４がスライドできるように取り付けられ、前記スライドロッド４４と前記スプール４０とが固定的に連結され、前記スライドロッド４４には永久磁石４３が固定的に取り付けられ、前記水濾過筒３２が水を濾過でき、
採集空間２９の中の汚泥が水搾り空間３５の中に押された後、電磁石４１に通電させ、電磁石４１が永久磁石４３を押し動かし、永久磁石４３が右へスプール４０を押し、スプール４０がスプール空間３９を密封し、第二押しモーター３６を始動し、第二押しモーター３６が第三ねじ山ロッド３７を回転させ、第三ねじ山ロッド３７が回転し第二搾り板３８を右へ移動させ、第二搾り板３８が汚泥を水濾過筒３２の中に押し、汚泥内の水が搾れる。
【００２６】
また、一つの実施例において、前記サンプリング箱２７にはカメラ空間３０が設置され、前記カメラ空間３０の中にはカメラ３１が設置され、前記カメラ３１と前記ケーブル１８とが電気信号により接続され、前記サンプリング箱２７の頂面には引っかかり爪３３がヒンジにより連結され、前記引っかかり爪３３と前記サンプリング箱２７との間にいはねじりばね３４が固定的に連結され、
引っかかり爪３３が水濾過筒３２を固定でき、汚泥を押すとき水濾過筒３２を落ちないようにさせ、カメラ３１がサンプリングの位置を監視できる。
【００２７】
浮き板２６を水面に置き、回転輪６２が浮き板２６と台座１０とを水面で移動させることができ、巻きモーター１５を始動すると、巻きモーター１５が引き紐１４とケーブル１８とを巻く又は放すことができ、コントローラー２０の制御信号がデータ転送接触点２１とデータ転送接触リング２２を通じてケーブル１８に転送でき、第一巻き筒１３と第二巻き筒１７が引き紐１４とケーブル１８とを放した後、Ｙ型分流パイプ２５を経由した後に引っかかりカバー６１に引き紐１４を固定させることができ、サンプリング箱２７が下へ水域の深層部に入ることができる。
【００２８】
サンプリングモーター５２を始動し、サンプリングモーター５２が採集筒５０を回転させて水底の汚泥を採集空間２９の中に巻き込むことができ、汚泥が採集空間２９の中に巻き込まれた後、密封モーター５３を始動し、密封モーター５３が第一ねじ山ロッド５４を回転させて、第一ねじ山ロッド５４に前へ押し動かされた密封板４５が採集空間２９を密封し、第一押しモーター４８を始動し、第一押しモーター４８が第一搾り板４６を右に移動させ、第一搾り板４６が採集空間２９内の汚泥を連通穴４７を通じて水搾り空間３５の中に押し、採集空間２９の中の汚泥が水搾り空間３５の中に押された後、電磁石４１に通電させ、電磁石４１が永久磁石４３を押し、永久磁石４３が右へスプール４０を押し、スプール４０がスプール空間３９を密封し、第二押しモーター３６を始動し、第二押しモーター３６が第三ねじ山ロッド３７を回転させ、第三ねじ山ロッド３７が回転し第二搾り板３８を右へ移動させ、第二搾り板３８が汚泥を水濾過筒３２の中に押し、汚泥内の水が搾れる。
【００２９】
引っかかり爪３３が水濾過筒３２を固定でき、汚泥を押すとき水濾過筒３２を落ちないようにさせ、カメラ３１がサンプリングの位置を監視できる。
【００３０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】      （修正有）【課題】環境検査用の水域の深層部の汚泥サンプラを提供する。【解決手段】浮き板２６とサンプリング箱を含み、浮き板には回収穴６０が設置され、浮き板の頂面には台座１０が固定的に取り付けられ、台座にはサンプリング箱を引いて水中で移動させることができる回し部品８０が設置され、回し部品は前記台座の中に設置された第一巻き空間１２と第二巻き空間１６を含み、台座の中には巻きモーター１５が固定的に取り付けられ、巻きモーターの左側の出力軸には第一巻き軸１１が固定的に連結され、第一巻き軸には第一巻き筒１３が固定的に取り付けられ、第一巻き筒には引き紐１４が周設されている。【選択図】図１【図１】
0006740518.tif 000002
【図２】
0006740518.tif 000003
【図３】
0006740518.tif 000004
【図４】
0006740518.tif 000005
【図５】
0006740518.tif 000006
【図６】
0006740518.tif 000007